(57)【要約】      （修正有）【課題】開閉に際して、板バネが外部に露出することなく、板バネの露出による使用者の負傷や、回動接続構造の汚損や劣化、耐久性の低下を防ぐとともに、弾力性に富んだ板バネにより、長時間装着しても耳たぶ等の装着部分が痛くならず、落下することなく安心・安全で、装飾性も損なわれることのないクリップ式イヤリングを提供する。【解決手段】クリップ式イヤリングは、一方の端部に取付凸部１３を備えた第１装飾部材１１と、取付凸部と対応する端部に取付凹部１４を備えた第２装飾部材１２とからなり、取付凸部と取付凹部をピン１８で軸着して第１装飾部材と第２装飾部材とを開閉可能に連結してなる回転接続構造３１を備えるとともに、回転接続構造が、第１装飾部材と第２装飾部材を常態で閉鎖状に保持する板バネ２１と押え板１９ｂと位置決め部１９ａからなる閉鎖手段３２を備える。【選択図】図２
0003231885.tif 000002
【実用新案登録請求の範囲】
【請求項１】
一方の端部に取付凸部を備えた第１装飾部材と、
前記取付凸部と対応する端部に取付凹部を備えた第２装飾部材とからなり、
前記取付凸部と前記取付凹部を軸着して前記第１装飾部材と第２装飾部材とを開閉可能に連結してなる回転接続構造を備えるとともに、
前記回転接続構造が、前記第１装飾部材と第２装飾部材を常態で閉鎖状に保持する閉鎖手段を備えてなることを特徴とするクリップ式イヤリング。
【請求項２】
前記閉鎖手段が、前記第１装飾部材の取付凸部の先端下部に形成された係合突起と、
前記第２装飾部材の前記取付凹部に連結して形成された板バネ収納部に収納され、前記係合突起に一方の端部を当接させた板バネと、
前記第２装飾部材の前記板バネ収納部の上面に取り付けられ、前記板バネの長さ方向の中央部分を押圧する抑え板と、
前記第２装飾部材の前記板バネ収納部内に形成され、板バネの他方の端部を係合させる位置決め部とからなり、
前記板バネの一方の端部を前記係合突起に当接させて該板バネの付勢力によって前記取付凸部を押し下げることで、前記第１装飾部材と第２装飾部材を常態で閉鎖状に保持するようにしたことを特徴とする請求項１に記載のクリップ式イヤリング。
【請求項３】
前記抑え板が、前記抑え板の長さ方向の中央下部に前記板バネを押圧する押圧部を備えるとともに、前記抑え板の幅方向の両側面に複数の係合凸部を備え、前記第２装飾部材の前記板バネ収納部の両側側壁の上部に形成された係合凹部に係合させて、前記抑え板を前記第２装飾部材の前記板バネ収納部の上面に取り付けるようにしたことを特徴とする請求項１ないし２のいずれかに記載のクリップ式イヤリング。
【考案の詳細な説明】
【技術分野】
【０００１】
この考案は、新規な回転接続構造を備えたクリップ式イヤリングに関するものである。
【背景技術】
【０００２】
耳朶を挟持する等して耳に装着される回動接続部付耳飾（以下クリップ式イヤリング）の回動接続構造としては、例えば特開２００３−２１０２１９号公報（特許文献１参照）が挙げられる。
すなわち、特開２００３−２１０２１９号公報（特許文献１参照）のクリップ式イヤリングでは、第９の実施例において、第２の接続部から後方体に渡って板バネからなる付勢手段がばね固定爪で内側に固定され、付勢手段が閉じ状態おいては前方体に設けられ第１の接続部の上部に当接して該を下方にその付勢力により押し下げることにより前方体と後方体を閉じるように常時作用し、開き状態においては第１の接続部の前方に当接して開き状態が固定されるように設けられ、この付勢手段よる付勢力は回動接続部の停止保持力が利いていて有効な状態においてはその停止保持力により閉じ回動動作には作用をおよぼすことが阻止されるようになっており、且つ、停止保持力が弱まり利き目が弱い有効な状態でなくなってくると付勢手段の付勢力により、と閉じ回動動作が進んで耳朶をその付勢力により挟持するようになっている。
【先行技術文献】
【特許文献】
【０００３】
【特許文献１】、特開２００３−２１０２１９号公報
【考案の概要】
【考案が解決しようとする課題】
【０００４】
前記特開２００３−２１０２１９号公報（特許文献１参照）のクリップ式イヤリングの回動接続構造は、凸状の第１の接続部と、該凸状の第１の接続部を挟み込むように接続される凹状の第２の接続部を軸ピンを介して回動可能に接続してあり、板バネからなる付勢手段によって、クリップ式イヤリングの閉状態と開状態とをそれぞれ保持することができるようにしてある。
しかしながら、前記板バネからなる付勢手段は、クリップ式イヤリングの閉状態または開状態を保持するため、前記板バネの端部を前記第１の接続部の上部または前方に当接させなければならず、板バネの端部が外部に露出する構造となっており、使用者の負傷や板バネを含む回動接続構造の汚損や早期劣化、イヤリングの装飾性を損なう事態が生じていた。
【０００５】
この考案は従来のクリップ式イヤリングの前記欠点を改良するものであって、クリップ式イヤリングの開閉に際して、前記板バネが外部に露出することなく、板バネの露出による使用者の負傷や、回動接続構造の汚損や劣化、耐久性の低下を防ぎ、弾力性に富んだ板バネにより長時間装着しても耳たぶ等の装着部分が痛くならず、長時間装着しても落下することなく安心・安全で、イヤリングの装飾性も損なわれることのないクリップ式イヤリングの提供を目的とするものである。
【課題を解決するための手段】
【０００６】
すなわちこの考案のクリップ式イヤリングは、一方の端部に取付凸部を備えた第１装飾部材と、
前記取付凸部と対応する端部に取付凹部を備えた第２装飾部材とからなり、
前記取付凸部と前記取付凹部を軸着して前記第１装飾部材と第２装飾部材とを開閉可能に連結してなる回転接続構造を備えるとともに、
前記回転接続構造が、前記第１装飾部材と第２装飾部材を常態で閉鎖状に保持する閉鎖手段を備えてなることを特徴とするものである。
【０００７】
この考案のクリップ式イヤリングにおいて、前記閉鎖手段が、前記第１装飾部材の取付凸部の先端下部に形成された係合突起と、
前記第２装飾部材の前記取付凹部に連結して形成された板バネ収納部に収納され、前記係合突起に一方の端部を当接させた板バネと、
前記第２装飾部材の前記板バネ収納部の上面に取り付けられ、前記板バネの長さ方向の中央部分を押圧する抑え板と、
前記第２装飾部材の前記板バネ収納部内に形成され、板バネの他方の端部を係合させる位置決め部とからなり、
前記板バネの一方の端部を前記係合突起に当接させて該板バネの付勢力によって前記取付凸部を押し下げることで、前記第１装飾部材と第２装飾部材を常態で閉鎖状に保持するようにしたことをも特徴とするものである。
【０００８】
この考案のクリップ式イヤリングにおいて、前記抑え板が、前記抑え板の長さ方向の中央下部に前記板バネを押圧する押圧部を備えるとともに、前記抑え板の幅方向の両側面に複数の係合凸部を備え、前記第２装飾部材の前記板バネ収納部の両側側壁の上部に形成された係合凹部に係合させて、前記抑え板を前記第２装飾部材の前記板バネ収納部の上面に取り付けるようにしたことをも特徴とするものである。
【考案の効果】
【０００９】
上述のとおり、この考案のクリップ式イヤリングにおいては、第１装飾部材と第２装飾部材とを挟み付けるようにして耳朶等にこの考案のクリップ式イヤリングを取り付ける際に、前記板バネを前記第２装飾部材の前記板バネ収納部内に収納するようにしたので、前記板バネが外部に露出することがなく、イヤリングの使用者が負傷することを防ぐととともに、装飾性に富んだクリップ式イヤリングを提供することができるようになった。
【００１０】
また、前記板バネを押圧する前記抑え板を第２装飾部材の板バネ収納部の上面に取り付けて前記板バネ収納部内を封止することにより、前記板バネが外部に露出することがないようにして、回動接続構造の汚損や劣化を防ぐことで、非常に耐久性の富んだ高品質のクリップ式イヤリングを提供することができる。
さらに、弾力性に富んだ板バネにより長時間装着しても耳たぶ等の装着部分が痛くならず、長時間装着しても落下することなく安心・安全なクリップ式イヤリングを提供することができる。
【図面の簡単な説明】
【００１１】
【図１】この考案のクリップ式イヤリングの実施例を示し、閉鎖状態の概略正面図である。
【図２】その概略断面図である。
【図３】その分解状態の概略斜視図である。
【図４】その概略斜視断面図である。
【図５】第１装飾部材の取付凸部と第２装飾部材の取付凹部を取り付けた状態を示す概略斜視図である。
【図６】その概略斜視断面図である。
【図７】取付凸部と取付凹部に軸ピンを挿通して軸着した状態を示す概略斜視図である。
【図８】その概略斜視断面図である。
【図９】板バネを第２装飾部材の取付凹部内に収納した状態を示す概略斜視図である。
【図１０】その概略斜視断面図である。
【図１１】抑え板を第２装飾部材の取付凹部の上面に取り付けた状態を示す概略斜視図である。
【図１２】その概略斜視断面図である。
【図１３】この考案のクリップ式イヤリングの実施例の、開放状態の概略正面図である。
【図１４】その概略断面図である。
【図１５】その概略斜視図である。
【図１６】その概略斜視断面図である。
【考案を実施するための形態】
【００１２】
以下、この考案のクリップ式イヤリングの実施の形態を図面に基いてより詳しく説明する。
図１ないし図１６に示すこの考案の実施例において、１１は様々な装飾を施すことのできる円弧状の第１装飾部材であり、１２は前記第１装飾部材と略同様の円弧状の第２装飾部材であって、前記第１装飾部材１１と前記第２装飾部材１２を組み付けた状態では略円状をなすものである。もちろん、前記第１装飾部材１１と前記第２装飾部材１２とは使用者の耳朶を挟持可能な形状であればよい。また前記第１装飾部材１１と前記第２装飾部材１２とは、断面形状がほぼ四角であっても、円弧状のいわゆる甲丸であってもよい。なお素材としてはともに金（Ｋ−１８等）やプラチナ、銀等が使用可能である。
前記第１装飾部材１１の一方の端部には取付凸部１３が備えられ、これと対向する第２装飾部材１２の端部には取付凹部１４が備えられている。そして、前記取付凸部１３の半孤状の先端下部には、係合突起１３ａを形成してある。本実施例においては、前記取付凹部の半孤状の先端上部の一部を切り欠くことにより前記係合突起１３ａを形成するようにしてある。
【００１３】
３１は、前記取付凸部１３を前記取付凹部１４間に差し込み連結し、前記取付凸部１３と前記取付凹部１４それぞれに開けられた貫通孔１６，１７に軸ピン１８を挿通し、この部位を加締めることにより、第１装飾部材１１と第２装飾部材１２とを開閉自在に軸着した回動接続構造である。
また本実施例において、前記回動接続構造３１は、さらに前記第１装飾部材１１と第２装飾部材１２の両者を常態で閉鎖状に保持する閉鎖手段３２が配設されている。すなわち、本実施例においてこの閉鎖手段３２は、前記第２装飾部材１２の前記取付凹部１４に連結して形成された板バネ収納部１９に収納した板バネ２１であり、この板バネ２１で前記取付凸部１３の先端下部に形成された係合突起１３ａを押さえつけるようになっている。
【００１４】
より詳しくは、この考案の板バネ２１はその先端２１ａを前記取付凸部１３の先端下部に形成された係合突起１３ａに当接させるとともに、前記板バネ２１の後端２１ｂを前記板バネ収納部１９内に形成した位置決め部１９ａにはめ込んだものであり、前記板バネ２１の長さ方向の中央部分２１ｃを抑え板１９ｂにて第２装飾部材１２の外周面側に押さえ付けてなるものである。このような構造とすることにより、前記板バネ２１の先端２１ａが前記取付凸部１３の係合突起１３ａを弾発性をもって押さえ付けるものである。
【００１５】
また、前記抑え板１９ｂは、その長さ方向の中央下部に前記板バネ２１を前記第２装飾部材１２の外周面側に押さえつける押圧部１９ｃを備えている。そして、前記抑え板１９ｂの長さ方向の両側面には複数の係合凸部１９ｄを設けてある。この係合凸部１９ｄは、前記第２装飾部材１２の前記板バネ収納部１９の両側側壁の上端に設けた係合凹部１９ｅに係合されるようにしてある。したがって、前記抑え板１９ｂを前記板バネ収納部１９の上面に取り付ける際には、前記抑え板１９ｂの係合凸部１９ｄを対応する前記板バネ収納部１９の係合凹部１９ｅに係合させて取り付けることができる。
このような構造とすることにより、抑え板１９ｂは前記板バネ２１を押さえつけるとともに、前記板バネ収納部１９の上面を位置ずれすることなく確実に封止することができる。また、前記係合凸部１９ｄを複数箇所に設けることにより前記抑え板１９ｂを前記板バネ収納部１９の上面に強固に取り付けることができるので、前記抑え板１９ｂが前記板バネ２１を十分に押圧しながらも前記抑え板１９ｂが前記板バネ収納部１９から外れることがないようにしてある。このように、前記抑え板１９ｂを前記板バネ収納部１９の上面に取り付けることで、板バネ２１が外部に露出することなく、使用者の負傷や回動接続構造の汚損、劣化を防ぐことができるのである。
なお、この考案の板バネ２１の全体形状は前記実施例に限定されるものではない。
【００１６】
この考案のクリップ式イヤリングは以上のような構成を有するものであり、前記板バネ２１は前記位置決め部１９ｃと、前記抑え板１９ｂの押圧部１９ｃの存在によって常に弾発性を付与した状態で第２装飾部材１２の板バネ収納部１９内に装着されるものである。
このため、使用者の耳朶への装着は確実になることは言うまでもない。もちろん、前記板バネ２１が常に前記第２装飾部材１２の前記取付凸部１３の係合突起１３ａを押さえつけるので、長時間装着しても落下することもない。その際、前記第１装飾部材１１と第２装飾部材１２の耳朶等への装着端部には、若干の間隙を設けてあるので、使用者が長時間装着しても痛くなることもない。そして、板バネ２１は予め前記位置決め部１９ｃと前記抑え板１９ｂの押圧部１９ｃの働きにより弾発性を与えておくものであり、このため、この考案で用いられる板バネ２１は従来のものよりも小型で弱いバネで十分であり、柔らか味のあるばね特性が得られることになる。
【００１７】
そして、板バネ２１は常に前記板バネ収納部１９内に収納され、前記板バネ収納部１９の上面は前記抑え板１９ｂにより常に封止されているため、従来のばねのように使用中にばねが抜けだすような欠点はなく、回動接続構造の汚損や劣化を防ぎ、板バネ２１の装着時にさほど注意を払わずに済むため、その組立て作業性は極めて優れたものとなる。
さらに、前記抑え板１９ｂにより、前記第２装飾部材に形成された前記板バネ収納部１９の上面を封止されているため、前記回動接続構造３１によりイヤリング全体の装飾性が損なわれることがない。このとき、前記抑え板１９ｂの係合凸部１９ｄを複数箇所に設けることにより、前記係合凸部１９ｄを前記板バネ収納部１９の両側側壁の上端に設けた前記係合凹部１９ｅに強固に取り付けてあるので、前記抑え板１９ｂは前記押圧部１９ｃにより前記板バネ２１を十分に押さえつけることができるとともに、前記抑え板１９ｄが外れてしまうことがないようにしてある。
【００１８】
次に、この実施例におけるクリップ式イヤリングの組立工程を図面に基づき詳細に説明する。図３または図４は、組立前の分解状態を示すものである。
まず、図５または図６に示すように、まず第１装飾部材１１の取付凸部１３を、第２装飾部材１２の取付凹部１４間に差し込み連結する。次いで図７または図８に示すように、前記取付凸部１３の貫通孔１６および取付凹部１４の貫通孔１７に軸ピン１８を挿通して軸着する。
そして、図９または図１０に示すとおり、前記第２装飾部材１２の前記取付凹部１４に連結して形成された板バネ収納部１９に板バネ２１を収納する。このとき、前記板バネ２１の先端２１ａは前記取付凸部１３の先端下部に形成された係合突起１３ａに当接させるとともに、前記板バネ２１の後端２１ｂを前記板バネ収納部１９内に形成した位置決め部１９ａにはめ込み固定する。
【００１９】
そうして、図１１または図１２に示すように、前記抑え板１９ｂを前記第２装飾部材１２の前記板バネ収納部１９の上面に取り付ける。このとき、前記板バネ収納部１９の上面は前記抑え板１９ｂにより封止されるとともに、前記抑え板１９ｂの押圧部１９ｃが前記板バネ２１の長さ方向の中央部分２１ｃを前記第２装飾部材１２の外周面側に押さえつけるようにしている。
このような構造とすることにより、前記板バネ２１は前記位置決め部１９ａと、前記抑え板１９ｂの押圧部１９ｃの存在によって常に弾発性を付与した状態で第２装飾部材１２の板バネ収納部１９内に装着されるのである。したがって、前記板バネ２１の先端２１ａを前記第１装飾部材１１の取付凸部１３の先端下部に形成された係合突起１３ａに当接させることで前記係合突起１３ａを押し下げて、前記第１装飾部材１１と前記第２装飾部材１２とを閉鎖状態に保持することができるようにしてある。
【００２０】
この考案のクリップ式イヤリングの取り付け、取り外しに際しては、第１装飾部材１１と第２装飾部材１２とをそれぞれ指で挟んで開くことができる。図１３ないし図１６はこの実施例のクリップ式イヤリングを開いた状態を示すものである。
図に示すとおり、第１装飾部材１１と第２装飾部材１２とをそれぞれ指で挟んで開く状態とした場合、前記板バネ２１の下向きの付勢力に抗して前記第１装飾部材１１の取付凸部１３の係合突起１３ａが上方に移動する。この状態においては、前記板バネ２１の弾発性が前記第１装飾部材１１の取付凸部１３の係合突起１３ａを押し下げる方向に付勢力として働くので、使用者はわずかな力で容易に第１装飾部材１１と第２装飾部材１２とを閉鎖状態にすることができ、極めて操作性良く使用することができるのである。
【産業上の利用可能性】
【００２１】
この考案のクリップ式イヤリングは、以上のとおり、使用者の負傷リスクを排除し、回動接続構造の汚損や劣化を防ぐとともに、回動接続構造によっても装飾性が損なわれることなく、極めて操作性良く使用することができるものであり、イヤリングのみならずネックレスその他の身飾品やジュエリー等にも適用可能であることはいうまでもない。
【符号の説明】
【００２２】
１１  第１装飾部材
１２  第２装飾部材
１３  取付凸部
１３ａ  係合突起
１４  取付凹部
１６，１７  貫通孔
１８  軸ピン
１９  板バネ収納部
１９ａ  位置決め部
１９ｂ  抑え板
１９ｃ  押圧部
１９ｄ  係合凸部
１９ｅ  係合凹部
２１  板バネ
２１ａ  先端
２１ｂ  後端
２１ｃ  中央部分
３１  回動接続構造
３２  閉鎖手段
【図１】
0003231885.tif 000003
【図２】
0003231885.tif 000004
【図３】
0003231885.tif 000005
【図４】
0003231885.tif 000006
【図５】
0003231885.tif 000007
【図６】
0003231885.tif 000008
【図７】
0003231885.tif 000009
【図８】
0003231885.tif 000010
【図９】
0003231885.tif 000011
【図１０】
0003231885.tif 000012
【図１１】
0003231885.tif 000013
【図１２】
0003231885.tif 000014
【図１３】
0003231885.tif 000015
【図１４】
0003231885.tif 000016
【図１５】
0003231885.tif 000017
【図１６】
0003231885.tif 000018
【手続補正書】
【提出日】令和3年3月3日(2021.3.3)
【手続補正１】
【補正対象書類名】実用新案登録請求の範囲
【補正対象項目名】全文
【補正方法】変更
【補正の内容】
【実用新案登録請求の範囲】
【請求項１】
一方の端部に取付凸部を備えた第１装飾部材と、
前記取付凸部と対応する端部に取付凹部を備えた第２装飾部材とからなり、
前記取付凸部と前記取付凹部を軸着して前記第１装飾部材と第２装飾部材とを開閉可能に連結してなる回転接続構造を備えるとともに、
前記回転接続構造が、前記第１装飾部材と第２装飾部材を常態で閉鎖状に保持する閉鎖手段を備えてなることを特徴とするクリップ式イヤリング。
【請求項２】
前記閉鎖手段が、前記第１装飾部材の取付凸部の先端下部に形成された係合突起と、
前記第２装飾部材の前記取付凹部に連結して形成された板バネ収納部に収納され、前記係合突起に一方の端部を当接させた板バネと、
前記第２装飾部材の前記板バネ収納部の上面に取り付けられ、前記板バネの長さ方向の中央部分を押圧する抑え板と、
前記第２装飾部材の前記板バネ収納部内に形成され、板バネの他方の端部を係合させる位置決め部とからなり、
前記板バネの一方の端部を前記係合突起に当接させて該板バネの付勢力によって前記取付凸部を押し下げることで、前記第１装飾部材と第２装飾部材を常態で閉鎖状に保持するようにしたことを特徴とする請求項１に記載のクリップ式イヤリング。
【請求項３】
前記抑え板が、前記抑え板の長さ方向の中央下部に前記板バネを押圧する押圧部を備えるとともに、前記抑え板の幅方向の両側面に複数の係合凸部を備え、前記第２装飾部材の前記板バネ収納部の両側側壁の上部に形成された係合凹部に係合させて、前記抑え板を前記第２装飾部材の前記板バネ収納部の上面に取り付けるようにしたことを特徴とする請求項２に記載のクリップ式イヤリング。